(57)【特許請求の範囲】
【請求項１】
管状部を形成したコネクタ本体と、前記管状部内に前記管状部の軸回りに回転可能に嵌合させたコックとを備えたコネクタであって、
前記管状部の一端は、前記管状部に嵌合させたコックで封止しており、
前記コックに、第１の流路及び第２の流路を形成しており、
前記コネクタ本体に、第１の孔、第２の孔、第３の孔及び第４の孔を形成しており、
前記第１、第２、第３及び第４の孔は、前記管状部の内部空間と、前記コネクタ本体の外部空間とをつなぐ孔であり、
前記第１の孔、前記第２の孔、前記第３の孔、及び前記第４の孔は、いずれも前記管状部の内周面に、前記コックに向かって開口しており、
前記コックの回転により、前記第１の流路を介して、前記管状部の前記コックで封止された前記一端とは反対側の内部空間と前記第１の孔とをつなぐ設定と、前記第１の流路を介して、前記管状部の前記コックで封止された前記一端とは反対側の内部空間と前記第２の孔とをつなぎ、かつ前記第２の流路を介して前記第３の孔と前記第４の孔とをつなぐ設定とを切換え可能であることを特徴とするコネクタ。
【請求項２】
前記コネクタ本体に、第１の接続部と第２の接続部とを設けており、
前記第１及び前記第２の接続部は、接続口を形成しており、
前記第１及び第３の孔と前記第１の接続部内の空間とがつながっており、
前記第２及び第４の孔と前記第２の接続部の接続口側の空間とがつながっている請求項１に記載のコネクタ。
【請求項３】
前記第１の流路は、前記コックの側面に凹部を形成したものであり、前記凹部は前記コックの先端面にまでおよび、前記コックの先端面に切り欠きを形成している請求項１に記載のコネクタ。
【請求項４】
前記第２の流路の両端は、前記コックの軸方向及び周方向において異なる位置にある請求項１に記載のコネクタ。
【請求項５】
前記第２の流路は、前記コックの側面に凹部を螺旋状に形成したものである請求項４に記載のコネクタ。
【請求項６】
前記第１の流路は、前記コックの先端側に形成した開口と、前記コックの側面に形成した開口とをつなぐ孔である請求項１に記載のコネクタ。
【請求項７】
前記第２の流路は、前記コックを前記コックの径方向に貫通した貫通流路である請求項１に記載のコネクタ。
【請求項８】
前記第３の孔及び前記第４の孔の少なくともいずれかに逆止弁を設けており、前記コックの設定が前記第２の流路を介して前記第３の孔と前記第４の孔とをつなぐ設定のときに、前記逆止弁により、前記第３の孔及び前記第４の孔を通過する液体の流通が止められる請求項１に記載のコネクタ。
【請求項９】
前記第１の接続部は、前記第１の接続部に形成した前記接続口に、レバー式ロックが一体になっている請求項２に記載のコネクタ。
【請求項１０】
前記第２の接続部は、前記第２の接続部に形成した前記接続口の内周面から突出した突出部を形成している請求項２に記載のコネクタ。
【請求項１１】
前記第１の接続部に、伸縮により開閉可能なシールドで覆われた部分がある請求項２に記載のコネクタ。
【請求項１２】
前記管状部の他端側に、シリンダと可動式のピストンとを備えた目盛り付きシリンジを一体に形成している請求項１に記載のコネクタ。
【請求項１３】
前記コックに、前記コックから延出させたレバーを形成しており、
前記コックの設定が、前記第１の流路を介して、前記管状部の前記コックで封止された前記一端とは反対側の内部空間と前記第１の孔とをつなぐ設定のときに、前記延出したレバーの先端が、前記第１の孔につながっている外部空間側に向き、
前記コックの設定が、前記第１の流路を介して、前記管状部の前記コックで封止された前記一端とは反対側の内部空間と前記第２の孔とをつなぐ設定のときに、前記延出したレバーの先端が、前記第２の孔につながっている外部空間側に向くように、前記レバーを配置している請求項１に記載のコネクタ。
【請求項１４】
前記コックに、前記コックから延出させたレバーを形成しており、
前記コックの設定が、前記第１の流路を介して、前記管状部の前記コックで封止された前記一端とは反対側の内部空間と前記第１の孔とをつなぐ設定のときに、前記延出したレバーの先端が、前記第２の孔につながっている外部空間側に向き、
前記コックの設定が、前記第１の流路を介して、前記管状部の前記コックで封止された前記一端とは反対側の内部空間と前記第２の孔とをつなぐ設定のときに、前記延出したレバーの先端が、前記第１の孔につながっている外部空間側に向くように、前記レバーを配置している請求項１に記載のコネクタ。
【請求項１５】
前記第３の孔、前記貫通流路及び前記第４の孔の少なくともいずれかに疎水性フィルタを設けている請求項７に記載のコネクタ。
【発明の詳細な説明】
【技術分野】
【０００１】
本発明は、流路の切換え可能なコネクタに関し、例えば薬液バッグとバイアル瓶との間で、液体を流通させる医療用のコネクタに関する。
【背景技術】
【０００２】
抗がん剤等の薬剤は、保存の安定性のため、粉末の状態で保存し、使用する際に溶解することが行われている。この場合、薬剤入りのバイアル瓶に溶解液を注入し、溶解させた薬液を薬液バッグに注入することになる。そして、薬液バッグ内の薬液は、薬液バッグに取り付けたチューブを介して体内に投与されることになる。バイアル瓶内の薬液を薬液バッグに注入させるための用具が、例えば下記特許文献１、２に提案されている。【０００３】
特許文献１には、両頭針の一端を薬剤入りの容器（バイアル瓶）の口部に穿刺し、両頭針の他端を希釈液入りの容器（薬液バッグ）の口部に穿刺した状態で、薬剤入りの容器内の溶解させた薬液を希釈液入りの容器に注入することが提案されている。この際、両頭針に接続したシリンジ（送気手段及び吸引手段）による送気により、薬剤入りの容器内に空気を送り込み、薬剤入りの容器から希釈液入りの容器への薬液の移注を迅速に行うようにしている。【０００４】
特許文献２には、移注用具に形成した瓶針をガラス瓶（バイアル瓶）の口栓に刺通し、中空針を空袋（薬液バッグ）の口栓に刺通した状態で、ガラス瓶内の内容液を空袋に移注することが提案されている。この際、移注用具に備えたポンプの操作により、外部空気をガラス瓶内に送入して、ガラス瓶内の薬液を空袋に順調に移注できるようにしている。
【先行技術文献】
【特許文献】
【０００５】
【特許文献１】特開２００２−２３８９７９号公報
【特許文献２】実開昭５６−９５２４７号公報
【発明の概要】
【発明が解決しようとする課題】
【０００６】
しかしながら、薬液バッグへの薬液の注入量は、患者によって異なり、薬液の注入量を患者に応じて個別に調節する必要がある場合があった。特許文献１、２に提案されている用具では、バイアル瓶から薬液バッグへの薬液の移注を迅速又は順調に行うことができるが、薬液の注入量を調節することは困難であった。これは、特許文献１、２の用具では、シリンジやポンプの操作により送入するのは、薬液ではなく、空気であるためである。すなわち、空気の送入により、薬液の薬液バッグへの移注を促進させることは可能になる。しかし、薬液の注入量は、薬液バッグの圧力に左右され、シリンジやポンプの操作量を調節しても、薬液の注入量を正確に調節することは、困難であった。【０００７】
本発明は、前記のような従来の問題を解決するものであり、薬液バッグへ薬液を必要な量だけ正確に注入することができるコネクタを提供することを目的とする。
【課題を解決するための手段】
【０００８】
前記目的を達成するために、本発明のコネクタは、管状部を形成したコネクタ本体と、前記管状部内に前記管状部の軸回りに回転可能に嵌合させたコックとを備えたコネクタであって、前記管状部の一端は、前記管状部に嵌合させたコックで封止しており、前記コックに、第１の流路及び第２の流路を形成しており、前記コネクタ本体に、第１の孔、第２の孔、第３の孔及び第４の孔を形成しており、前記第１、第２、第３及び第４の孔は、前記管状部の内部空間と、前記コネクタ本体の外部空間とをつなぐ孔であり、前記第１の孔、前記第２の孔、前記第３の孔、及び前記第４の孔は、いずれも前記管状部の内周面に、前記コックに向かって開口しており、前記コックの回転により、前記第１の流路を介して、前記管状部の前記コックで封止された前記一端とは反対側の内部空間と前記第１の孔とをつなぐ設定と、前記第１の流路を介して、前記管状部の前記コックで封止された前記一端とは反対側の内部空間と前記第２の孔とをつなぎ、かつ前記第２の流路を介して前記第３の孔と前記第４の孔とをつなぐ設定とを切換え可能であることを特徴とする。
【発明の効果】
【０００９】
本発明のコネクタによれば、薬液バッグへ薬液を必要な量だけ正確に注入することが可能になる。
【図面の簡単な説明】
【００１０】
【図１】本発明の実施の形態１に係るコネクタ１の使用例を示した図。
【図２】図１を矢印Ａ方向から見た図。
【図３】本発明の実施の形態１に係るコネクタ１の分解斜視図。
【図４】図３のコネクタ１を、図３とは別の角度から見た分解斜視図。
【図５】本発明の実施の形態１に係るコネクタ１の断面図。
【図６】本発明の実施の形態１において、薬液バッグ１０内の溶解液を、接続口４０からシリンジ３０へ吸引する状態を示す断面図。
【図７】本発明の実施の形態１において、シリンジ３０内に吸引した溶解液を、バイアル瓶２０内に注入する状態を示す断面図。
【図８】本発明の実施の形態１において、バイアル瓶２０内で生成した薬液を、シリンジ３０内に吸引する状態を示す断面図。
【図９】本発明の実施の形態１において、シリンジ３０内に吸引した薬液を、薬液バッグ１０内に注入する状態を示す断面図。
【図１０】本発明の一実施の形態に係る第１接続部３と薬液バッグ１０との接続前の状態を示す断面図。
【図１１】本発明の一実施の形態に係る第１接続部３をポート部４１に接続した状態を示す断面図。
【図１２】本発明の一実施の形態に係る第２接続部６とバイアル瓶２０との接続前の状態を示す断面図。
【図１３】本発明の一実施の形態に係る第２接続部６とバイアル瓶２０とを接続した状態を示す断面図。
【図１４】本発明の実施の形態２に係るコネクタ１００の使用例を示した図。
【図１５】図１４を矢印Ａ方向から見た図。
【図１６】本発明の実施の形態２に係るコネクタ１００の分解斜視図。
【図１７】図１６のコネクタ１００を、図１６とは別の角度から見た分解斜視図。
【図１８】本発明の実施の形態２に係るコネクタ１００の断面図。
【図１９】本発明の実施の形態２において、薬液バッグ内の溶解液を、接続口４０からシリンジ３０へ吸引する状態を示す断面図。
【図２０】本発明の実施の形態２において、シリンジ３０内に吸引した溶解液を、バイアル瓶２０内に注入する状態を示す断面図。
【図２１】本発明の実施の形態２において、バイアル瓶２０内で生成した薬液を、シリンジ３０内に吸引する状態を示す断面図。
【図２２】本発明の実施の形態２において、シリンジ３０内に吸引した薬液を、薬液バッグ１０内に注入する状態を示す断面図。
【発明を実施するための形態】
【００１１】
本発明によれば、コネクタに、シリンジ、薬液バッグ及びバイアル瓶を接続した場合において、コネクタ内における流路の設定の切換えにより、シリンジを介してバイアル瓶と薬液バッグとの間で液体を流通させることができ、かつ液体の流通量を正確に調節することができる。このことにより、薬液バッグへ薬液を必要な量だけ正確に注入することが可能になる。
【００１２】
前記本発明のコネクタにおいては、前記コネクタ本体に、第１の接続部と第２の接続部とを設けており、前記第１及び前記第２の接続部は、接続口を形成しており、前記第１及び第３の孔と前記第１の接続部内の空間とがつながっており、前記第２及び第４の孔と前記第２の接続部の接続口側の空間とがつながっていることが好ましい。この構成によれば、コネクタと薬液バッグ及びバイアル瓶との接続が容易になる。
【００１３】
また、前記第１の流路は、前記コックの側面に凹部を形成したものであり、前記凹部は前記コックの先端面にまでおよび、前記コックの先端面に切り欠きを形成していることが好ましい。この構成によれば、凹部と管状部の内周面との間に流路を形成することができる。
【００１４】
また、前記第２の流路の両端は、前記コックの軸方向及び周方向において異なる位置にあることが好ましい。この構成によれば、第２の流路の両端に、それぞれ、第３の孔、第４の孔がつながっている状態から、コックを回転させれば、第３の孔と第４の孔との間に第２の流路が介在しない状態にすることができる。このことにより、コックの回転により、第３の孔と第４の孔とが流通可能な状態と、第３の孔と第４の孔との流通ができない状態とを切り換えることができる。
【００１５】
また、前記第２の流路は、前記コックの側面に凹部を螺旋状に形成したものであることが好ましい。
【００１６】
また、前記第１の流路は、前記コックの先端側に形成した開口と、前記コックの側面に形成した開口とをつなぐ孔であることが好ましい。
【００１７】
また、前記第２の流路は、前記コックを前記コックの径方向に貫通した貫通流路であることが好ましい。
【００１８】
また、前記第３の孔及び前記第４の孔の少なくともいずれかに逆止弁を設けており、前記コックの設定が前記第２の流路を介して前記第３の孔と前記第４の孔とをつなぐ設定のときに、前記逆止弁により、前記第３の孔及び前記第４の孔を通過する液体の流通が止められることが好ましい。この構成によれば、コネクタに、シリンジ、薬液バッグ及びバイアル瓶を接続した場合において、誤ってシリンジを操作した場合であっても、シリンジを経ることなく、液体が薬液バッグとバイアル瓶との間で流通することを防止することができる。
【００１９】
また、前記第１の接続部は、前記第１の接続部に形成した前記接続口に、レバー式ロックが一体になっていることが好ましい。この構成によれば、第１の接続部の脱着が容易になる。
【００２０】
また、前記第２の接続部は、前記第２の接続部に形成した前記接続口の内周面から突出した突出部を形成していることが好ましい。この構成によれば、第２の接続部の外れを防止できる。
【００２１】
また、前記第１の接続部に、伸縮により開閉可能なシールドで覆われた部分があることが好ましい。この構成によれば、第１の接続部を薬液バッグから取り外した後においても、第１の接続部からの薬液の漏洩を防止することができる。このため、第２の接続部とバイアル瓶との接続状態を維持した状態でバイアル瓶を廃棄するようにすれば、バイアル瓶内の薬剤の漏洩は防止されることになる。
【００２２】
また、前記管状部の他端側に、シリンダと可動式のピストンとを備えた目盛り付きシリンジを一体に形成していることが好ましい。この構成によれば、コネクタの操作前の組立作業が容易になる。また、誤ってシリンジを取り外し、管状部の他端が開放することを防止することができる。
【００２３】
また、前記コックに、前記コックから延出させたレバーを形成しており、前記コックの設定が、前記第１の流路を介して、前記管状部の前記コックで封止された前記一端とは反対側の内部空間と前記第１の孔とをつなぐ設定のときに、前記延出したレバーの先端が、前記第１の孔につながっている外部空間側に向き、前記コックの設定が、前記第１の流路を介して、前記管状部の前記コックで封止された前記一端とは反対側の内部空間と前記第２の孔とをつなぐ設定のときに、前記延出したレバーの先端が、前記第２の孔につながっている外部空間側に向くように、前記レバーを配置していることが好ましい。この構成によれば、レバーの向きによって、コネクタ内部の流路の設定状態を知ることができる。
【００２４】
また、前記コックに、前記コックから延出させたレバーを形成しており、前記コックの設定が、前記第１の流路を介して、前記管状部の前記コックで封止された前記一端とは反対側の内部空間と前記第１の孔とをつなぐ設定のときに、前記延出したレバーの先端が、前記第２の孔につながっている外部空間側に向き、前記コックの設定が、前記第１の流路を介して、前記管状部の前記コックで封止された前記一端とは反対側の内部空間と前記第２の孔とをつなぐ設定のときに、前記延出したレバーの先端が、前記第１の孔につながっている外部空間側に向くように、前記レバーを配置していることが好ましい。この構成によれば、レバーの向きによって、コネクタ内部の流路の設定状態を知ることができる。
【００２５】
また、前記第３の孔、前記貫通流路及び前記第４の孔の少なくともいずれかに疎水性フィルタを設けていることが好ましい。この構成によれば、コネクタに、シリンジ、薬液バッグ及びバイアル瓶を接続した場合において、薬液バッグとバイアル瓶との間において、第３の孔、貫通流路及び第４の孔を介した液体の流通防止が確実になる。このことにより、シリンジを介したバイアル瓶と薬液バッグとの間における液体の流通量の正確な調節もより確実になる。
【００２６】
以下、図面を参照しながら本発明の一実施の形態について説明する。
【００２７】
（実施の形態１）
図１は、本発明の実施の形態１に係るコネクタ１の使用例を示した図である。本図での例では、コネクタ１を介して薬液バッグ１０とバイアル瓶２０とを接続している。薬液バッグ１０は、柔軟な樹脂製シートを袋状に形成したものである。薬液バッグ１０は、例えば、２枚の樹脂製シートを重ね合わせて、周縁部を熱溶着等により接合して形成することができる。バイアル瓶２０は、薬剤の入った容器であり、例えばガラス製の瓶の開口部をゴム栓及びキャップで封止したものである。
【００２８】
図２は、図１を矢印Ａ方向から見た図である。コネクタ１には、シリンジ３０が取り付けられている。シリンジ３０は、円筒状のシリンダ３２と可動式のピストン３１とを備えている。ピストン３１を矢印ａ方向に押すことにより、シリンダ３２内の液体をシリンダ３２の先端から送出させることができる。他方、ピストン３１を矢印ｂ方向に引くことにより、シリンダ３２内に液体を吸引することができる。
【００２９】
図３は、コネクタ１の分解斜視図である。図３に示したように、コネクタ１は、コネクタ本体２と、第１接続部３と、コック５とに分解することができる。コネクタ本体２は、第２接続部６と一体になっている。
【００３０】
なお、以下の説明において、図３の符号２で示した部分をコネクタ本体２と呼ぶことにするが、これは便宜上のものであり、コネクタ本体２に第１接続部３を接続したものをコネクタ本体２としてもよい。
【００３１】
第１接続部３は、円筒状の接続口１１とレバー式ロック１２とが一体になっている。第１接続部３は、コネクタ１を薬液バッグ１０（図１）に接続させるためのコネクタである。薬液バッグ１０との接続の際には、接続口１１内に、薬液バッグ１０に固定している円筒状のポート部４１（図１０）を挿入する。
【００３２】
この際、レバー式ロック１２の下部が矢印ｃ方向に湾曲しながら、レバー式ロック１２の爪部１３が、ポート部４１の端面４１ａ（図１０、１１）に係合することになる。第１接続部３と薬液バッグ１０との接続の詳細については、後に図１０、１１を参照しながら説明する。
【００３３】
コネクタ本体２は、縦管状部１５に横管状部１６が交差している。横管状部１６にはシリンジ３０（図２）と螺合させるためにねじ１７を形成している。横管状部１６には、円柱状のコック５が挿入される。レバー８を回転させると、コック５は横管状部１６の軸回りに回転することになる。
【００３４】
コネクタ１は、図２のような接続状態において、シリンジ３０を介して、薬液バッグ１０とバイアル瓶２０との間で液体を流通させるものである。コック５（図３）を回転させることにより、薬液バッグ１０とシリンジ３０との間で液体を流通させる流路の設定と、バイアル瓶２０とシリンジ３０との間で液体を流通させる流路の設定とを切換えることができる。この切換えの詳細は、後に図６−９を参照しながら説明する。
【００３５】
前記の通り、図３において、コネクタ本体２は、第２接続部６が一体になっている。第２接続部６は、コネクタ本体２をバイアル瓶２０に接続させるためのものである。第２接続部６は、円筒状の接続口４９（図４）を形成している。第２接続部６とバイアル瓶２０との接続の際には、第２接続部６の接続口４９内に、バイアル瓶２０のキャップ部を嵌合させることになる。この接続の詳細については、後に図１２、１３を参照しながら説明する。
【００３６】
図４は、コネクタ１を、図３とは別の角度から見た分解斜視図である。図４では、第１接続部３及びコネクタ本体２の裏面側を図示している。第１接続部３の裏面側には、接続用管状部２１を形成している。この接続用管状部２１の外周面を、コネクタ本体２の縦管状部１５の内周面（図３）に嵌合させることにより、第１接続部３をコネクタ本体２に接続することができる。
【００３７】
コネクタ本体２の裏面側には、針状部２２を形成している。針状部２２の先端は鋭利になっており、針状部２２は、バイアル瓶２０のゴム栓２３（図５）に刺通することができる。
【００３８】
図５は、コネクタ１の断面図を示している。本図は、図２におけるコネクタ１及びその周辺部分の縦方向の断面図に相当する。薬液バッグ１０に取り付けられた接続口４０の先端部に、ポート部４１が取り付けられている。ポート部４１は、第１接続部３の接続口１１に挿入されている。本図の断面状態では、図示されていないが、第１接続部３と一体のレバー式ロック１２の爪部１３（図３）を、ポート部４１の端面４１ａに係合させて、第１接続部３をポート部４１に接続している（図１１）。前記の通り、この接続の詳細は、後に図１０、１１を参照しながら説明する。
【００３９】
第１接続部３は、接続口１１の中央部に、立設管状部２５を形成している。立設管状部２５の先端部は、ポート部４１に取り付けられたセプタム（隔壁）４２を押し上げている。セプタム４２は、軟質材にスリットを形成したものである。図５の状態では、立設管状部２５の先端部が、セプタム４２を押し上げることにより、セプタム４２のスリットを割って開いている。このことにより、接続口４０の内部空間と、立設管状部２５及び接続管状部２１の内部空間２８とがつながっている。
【００４０】
第１接続部３の接続用管状部２１の外周面は、コネクタ本体２の縦管状部１５の内周面に嵌合している。このことにより、コネクタ本体２に第１接続部３が接続されている。
【００４１】
コネクタ本体２の横管状部１６内に、コック５が挿入されている。横管状部１６の一端はコック５で封止され、横管状部１６の他端に開放部４（図３、４）を形成している。コック５にはＬ字形流路である第１の流路３３が形成されており、コック５の先端側に形成した開口３５と、コック５の側面に形成した開口３４とがつながっている。さらに、コック５にはコック５の径方向に貫通した貫通流路である第２の流路３６を形成している。
【００４２】
なお、本実施の形態では、第１の流路３３は流路がＬ字形の例で説明するが、開口３４と開口３５とがつながっていればよく、流路はＬ字形に限るものではない。
【００４３】
コネクタ本体２には、第１の孔３７及び第２の孔４３を形成している。これらの２つの孔はいずれも、横管状部１６の内部空間１６ａと、コネクタ本体２の外部空間とをつなぐ孔である。第１の孔３７は、横管状部１６の側壁部を貫通しており、第２の孔４３は、基部１８及び針状部２２を貫通している。
【００４４】
コネクタ本体２には、さらに第３の孔３８及び第４の孔４４を形成している。これらの２つの孔についても、第１の孔３７及び第２の孔４３と同様に、横管状部１６の内部空間１６ａとコネクタ本体２の外部空間とをつなぐ孔である。第３の孔３８は、横管状部１６の側壁部を貫通しており、第４の孔４４は、基部１８及び針状部２２を貫通している。
【００４５】
コック５は、レバー８を回転させると横管状部１６の軸回りに回転する。この回転により、開口３４はコック５の外周方向に回転移動することになる。
【００４６】
図５の状態では、第１の流路３３は、第２の孔４３とつながっている。第２の流路３６は、第２の孔３８と第４の孔４４とにつながっている。この状態からレバー８を回転させることにより、第１の流路３３を、第１の孔３７とつながった状態に設定することができる。
【００４７】
すなわち、レバー８を回転させることにより、第１の流路３３と第２の孔４３とをつなぐ設定と、第１の流路３３と第１の孔３７とをつなぐ設定とを切換えることができる。この設定の切換えを用いて、薬液バッグ１０内の溶解液を、バイアル瓶２０内に移し、バイアル瓶２０内の粉末状の薬剤を溶解液で溶解させて薬液を生成した後、この薬液を薬液バッグ１０へ注入することができる。このことの詳細については、後に図６−９を参照しながら説明する。
【００４８】
バイアル瓶２０の開口は、ゴム栓２３及びキャップ２４により封止している。ゴム栓２３は、バイアル瓶２０の開口に圧入している。キャップ２４は例えば金属製の薄板を加工したものであり、バイアル瓶２０の開口を覆っている。図５に示したように、第２接続部６によって、バイアル瓶２０とコネクタ本体２とを接続している。この接続の詳細は後に、図１２、１３を参照しながら説明する。
【００４９】
以下、図６−９を参照しながら、薬液バッグ１０に、バイアル瓶２０内の薬剤を注入する際の操作手順を説明する。以下の各図において、図示を見易くするために、図５における接続口４０、ポート部４１、シリンジ３０及びバイアル瓶２０は二点鎖線で簡略化して図示している。
【００５０】
図６は、薬液バッグ１０内の溶解液を、接続口４０からシリンジ３０へ吸引する状態を示す断面図である。図６では、コック５は第１の流路３３の開口３４と、第１の孔３７とをつなぐ設定になっている。したがって、薬液バッグ１０内の溶解液は、接続口４０、立設管状部２５及び接続用管状部２１の内部空間２８、第１の孔３７、第１の流路３３、開口３５を経て、横管状部１６の内部空間１６ａに流動可能になる。
【００５１】
図６に示したコック５の設定において、シリンジ３０のピストン３１（図２）を矢印ｂ方向に引くことにより、薬液バッグ１０内の溶解液を横管状部１６の内部空間１６ａにまで吸引し、さらにシリンジ３０内にまで吸引することができる（矢印ｄ方向）。
【００５２】
この場合、ピストン３１の引く量に追随して、溶解液がシリンジ３０内に吸引されることになる。このため、ピストン３１の引く量をシリンダ３２に表示した目盛りを参照しながら調節することにより、シリンジ３０内への溶解液の吸引量を調節することができる。すなわち、必要な量の溶解液を正確にシリンジ３０内に吸引することができる。
【００５３】
図６の状態において、バイアル瓶２０内の圧力を陽圧に設定している場合は、薬液バッグ１０内の溶解液が、第３の孔３８、第２の流路３６、第４の孔４４を経て、バイアル瓶２０内に入ることを防止することが可能になる。このことを確実にするには、第３の孔３８、第２の流路３６及び第４の孔４４の少なくともいずれかに疎水性フィルタを設ければよい。図６には、第２の流路３６に疎水性フィルタ３９を設けた一例を示している。
【００５４】
疎水性フィルタは、通気性があり空気は通過させるが、液体は通過させない。このため、バイアル瓶２０内が陽圧ではなくても、薬液バッグ１０内の溶解液がバイアル瓶２０内に直接流入することを防止することができる。
【００５５】
図７は、シリンジ３０内に吸引した溶解液を、バイアル瓶２０内に注入する状態を示す断面図である。図７は図６に比べ、コック５の設定が異なっている。図７では、図６の状態からレバー８を回転させることにより、コック５を回転させている。図６では、コック５の開口３４が上側にあるのに対し、図７では開口３４は下側にある。すなわち、図７では、コック５は、第１の流路３３と第２の孔４３とをつなぐ設定になっている。
【００５６】
図７の状態において、シリンジ３０のピストン３１（図２）を矢印ａ方向に押すと、シリンジ３０内の溶解液は、横管状部１６の内部空間１６ａに押し出されることになる。内部空間１６ａに至った溶解液は、矢印ｅ方向に流動し、第１の流路３３、第２の孔４３を経て、矢印ｆで示したように、バイアル瓶２０内に注入されることになる。
【００５７】
この場合、ピストン３１の押す量に追随して、溶解液がシリンジ３０から流出することになる。このため、ピストン３１の押す量をシリンダ３２に表示した目盛りを参照しながら調節することにより、シリンジ３０からの溶解液の流出量を調節することができる。すなわち、必要な量の溶解液を正確にバイアル瓶２０内に注入することができる。
【００５８】
バイアル瓶２０内への溶解液の注入の際、バイアル瓶２０内の空気は、第４の孔４４を上昇し、接続口４０を経て薬液バッグ１０内に流入する。このことは、前記のように、第４の孔４４から第３の孔３８に至る流路中に、疎水性フィルタを設けた場合においても変りない。すなわち、疎水性フィルタは、通気性があるので、バイアル瓶２０内の空気は、薬液バッグ１０内に流入することが可能になる。
【００５９】
バイアル瓶２０内に溶解液が注入されると、バイアル瓶２０内の粉末状の薬剤は、溶解液で溶解されることになる。バイアル瓶２０を振ることにより、この溶解を促進させることができる。
【００６０】
図８は、バイアル瓶２０内で粉末状の薬剤を溶解して生成した薬液を、シリンジ３０内に吸引する状態を示す断面図である。図８では、薬液バッグ１０の接続口４０とバイアル瓶２０との上下関係が、図６、７と逆になっている。すなわち、図６、７では、バイアル瓶２０が下側にあるのに対して、図８では、バイアル瓶２０は上側にある。この配置により、バイアル瓶２０内の薬液は、第２の孔４３、第１の流路３３を経て、横管状部１６の内部空間１６ａに流動可能になる。
【００６１】
前記のように、第４の孔４４から第３の孔３８に至る流路中に、疎水性フィルタを設けた場合には、バイアル瓶２０内の薬液は、疎水性フィルタを通過しないので、バイアル瓶２０内の薬液が直接接続口４０を経て、薬液バッグ１０に流出することを防止することができる。
【００６２】
図８に示したコック５の設定において、シリンジ３０のピストン３１（図２）を矢印ｂ方向に引くことにより、バイアル瓶２０内の薬液を横管状部１６の内部空間１６ａにまで吸引し、さらにシリンジ３０内にまで吸引することができる（矢印ｄ方向）。
【００６３】
この場合、ピストン３１の引く量に追随して、薬液がシリンジ３０内に吸引されることになる。このため、ピストン３１の引く量をシリンダ３２に表示した目盛りを参照しながら調節することにより、シリンジ３０内への薬液の吸引量を調節することができる。すなわち、必要な量の薬液を正確にシリンジ３０内に吸引することができる。
【００６４】
図９は、シリンジ３０内に吸引した薬液を、薬液バッグ１０内に注入する状態を示す断面図である。図９では、薬液バッグ１０とバイアル瓶２０との上下関係は図８の状態と同じであり、バイアル瓶２０が上側にある状態を維持している。図９は図８に比べ、コック５の設定が異なっている。図９では、図８の状態からレバー８を回転させることにより、コック５を回転させている。図８では、コック５の開口３４が上側にあるのに対し、図９では開口３４は下側にある。すなわち、図９では、コック５は、第１の流路３３と第１の孔３７とをつなぐ設定になっている。
【００６５】
図９の状態において、シリンジ３０のピストン３１（図２）を矢印ａ方向に押すと、シリンジ３０内の薬液は、横管状部１６の内部空間１６ａに押し出されることになる。内部空間１６ａに至った溶解液は、矢印ｅ方向に流動し、第１の流路３３、第１の孔３７、接続用管状部２１及び立設管状部２５の内部空間２８に至ることになる。内部空間２８に至った薬剤は、矢印ｇで示したように、接続口４０に至り、薬液バッグ１０内に注入されることになる。
【００６６】
この場合、ピストン３１の押す量に追随して、薬液が薬液バッグ１０内に注入されることになる。このため、ピストン３１の押す量をシリンダ３２に表示した目盛りを参照しながら調節することにより、薬液バッグ１０内への薬液の注入量を調節することができる。すなわち、必要な量の薬液を正確に薬液バッグ１０内に注入することができる。
【００６７】
前記のような工程を経て、必要な量の薬液を薬液バッグ１０内に注入することが可能になる。薬液バッグ１０内の薬液は、ポート部６０（図１）に刺通した針付きチューブのチューブを介して体内に投与されることになる。
【００６８】
本実施の形態においては、シリンジ３０（図２）とコネクタ本体２とを別部品とした例で説明したが、シリンジ３０のシリンダ部３２とコネクタ本体２とを一体にした構成でもよい。シリンダ部３２とコネクタ本体２とを一体にするには、シリンダ部３２を横管状部１６（図３）と一体に成形してもよく、シリンダ部３２を横管状部１６（図３）に接着剤で固定してもよい。この構成によれば、シリンジ３０の取り付け作業が不要になり、コネクタ１の操作前の組立作業が容易になる。また、誤ってシリンジ３０を取り外し、横管状部１６の他端が開放することを防止することができる。
【００６９】
また、本実施の形態においては、図３に示したように、コック５にはコック５から延出させたレバー８を形成している。このレバー８の向きによって、コネクタ１内部の流路の設定状態を知ることができる。
【００７０】
具体的には、図６においては、第１の孔３７と第１の流路３３とがつながっている。レバー８の先端８ａは、第１の孔３７につながった外部空間側、すなわち接続口４０側に向いている。このため、レバー８の先端８ａが接続口４０側に向いていることにより、コネクタ１は薬液バッグ１０側と流通可能な状態になっていると判断できることになる。
【００７１】
図７においては、第２の孔４３と第１の流路３３とがつながっている。レバー８の先端８ａは、第２の孔４３につながった外部空間側、すなわちバイアル瓶２０側に向いている。このため、レバー８の先端８ａがバイアル瓶２０側に向いていることにより、コネクタ１はバイアル瓶２０側と流通可能な状態になっていると判断できることになる。
【００７２】
すなわち、本実施の形態に係るレバー８付きのコック５によれば、レバー８の先端８ａの向きを見ることにより、薬液バッグ１０及びバイアル瓶２０のいずれの側に、コネクタ１が流通可能な状態になっているのかを容易に判断することが可能になる。
【００７３】
また、レバー８の先端８ａの向きを、図６の例とは逆にしてもよい。この場合は、図６ではレバー８の先端８ａはバイアル瓶２０側に向くことになり、図７ではレバー８の先端８ａは薬液バッグ１０の接続口４０側に向くことになる。すなわち、レバー８の先端８ａは、液体の流れが止まっている側を指していることになる。したがって、この場合は、レバー８の先端８ａの向きを見ることにより、コネクタ１は、薬液バッグ１０及びバイアル瓶２０のいずれの側と液体の流通を止めているのかを容易に判断できることになる。
【００７４】
次に、第１接続部３と薬液バッグ１０との接続構造について、図１０、１１を参照しながら説明する。図１０は、第１接続部３と薬液バッグ１０とを接続する前の状態を示す断面図である。前記の通り、接続口４０は薬液バッグ１０に取り付けられている。接続口４０の先端部に、ポート部４１が取り付けられている。ポート部４１には、スリット４５を形成したセプタム（隔壁）４２が取り付けられている。
【００７５】
図１０に示した第１接続部３は、図３のＢＢ線における断面図に相当する。第１接続部３には、レバー式ロック１２が一体になっている。レバー式ロック１２の下部が接続口１１の中心軸１１ａ側（矢印ｃ方向）に湾曲することにより、レバー式ロック１２の爪部１３は、接続口１１の中心軸１１ａから離れるように変位する（矢印ｈ方向）。
【００７６】
図１１は、第１接続部３をポート部４１に接続した状態を示す断面図である。ポート部４１が、接続口１１内に挿入されているとともに、レバー式ロック１２の爪部１３が、ポート部４１の端面４１ａに係合している。ポート部４１を接続口１１内に挿入する際には、図１０において、レバー式ロック１２の下部が接続口１１の中心軸１１ａ側（矢印ｃ方向）に湾曲し、レバー式ロック１２の爪部１３が、接続口１１の中心軸１１ａから離れるように変位することになる（矢印ｈ方向）。したがって、ポート部４１を接続口１１内に挿入すれば、図１１に示したように、爪部１３が、ポート部４１の端面４１ａに係合することになる。
【００７７】
ここで、図１０において、第１接続部３と一体の立設管状部２５は、伸縮により開閉可能なシールド２６で覆われている。シールド２６には、スリット２７を形成しており、シールド２６の収縮により、スリット２７の形成部分が開き（図１１）、収縮したシールド２６の復元によりスリット２７の形成部分が閉じる（図１０）ことになる。
【００７８】
図１０の状態では、シールド２６は立設管状部２５を覆っているのに対して、図１１の状態では、シールド２６は収縮し、立設管状部２５がシールド２６からはみ出している。これは、ポート部４１を接続口１１内に挿入する際に、ポート部４１の下部がシールド２６を押し下げるように、押圧するためである。
【００７９】
シールド２６からはみ出した立設管状部２５の先端部は、ポート部４１に取り付けられたセプタム４２を押し上げ、セプタム４２のスリット４５（図１０）を割って開いている。このことにより、接続口４０の内部空間と、立設管状部２５及び接続管状部２１の内部空間２８とがつながることになる。
【００８０】
次に、必要量の薬液を薬液バッグ１０内に注入した後は、バイアル瓶２０と一体になった第１接続部３を、ポート部４１から取り外すことになる。この取り外しの際には、図１１において、レバー式ロック１２の下部を接続口１１の中心軸１１ａ側（矢印ｃ方向）に押圧し、レバー式ロック１２の爪部１３を、接続口１１の中心軸１１ａから離れるように変位させればよい（矢印ｈ方向）。
【００８１】
第１接続部３を、ポート部４１から取り外した後は、図１０の状態に戻ることになる。図１０の状態では、収縮したシールド２６は復元し、再び立設管状部２５を覆っている。この状態では、バイアル瓶２０内の薬液の漏洩は防止されることになる。
【００８２】
なお、図１０において、シールド２６で覆われた立設管状部２５の構造を、ポート部４１側に設けてもよい。この場合は、ポート部４１において、開口を伸縮により開閉可能なセプタム４２で覆った構造は、第１接続部３に設けることになる。この構成によれば、図１１において、立設管状部２５とセプタム４２との上下関係が逆になるが、接続口４０の内部空間と、接続管状部２１の内部空間２８とがつながることには変わりない。
【００８３】
また、本実施の形態における第１接続部３は一例であり、各種接続方式を用いることができる。また、第１接続部３をコネクタ本体２と別部品で構成した例で説明したが、第１接続部３の構造によっては、第１接続部３とコネクタ本体２とを一体に成形した構成も考えられる。
【００８４】
次に、第２接続部６とバイアル瓶２０との接続構造について、図１２、１３を参照しながら説明する。図１２は、第２接続部６とバイアル瓶２０との接続前の状態を示す断面図である。バイアル瓶２０の開口は、ゴム栓２３を介して、キャップ２４により封止されている。
【００８５】
キャップの２４の中央部には開口５０を形成している。このことにより、開口５０の位置には、ゴム栓２３が露出している。
【００８６】
第２接続部６の接続口４９には、接続口４９の内周面から突出した突出部４６を形成している。バイアル瓶２０の開口側には、拡径部４７を形成している。後に図１３を用いて説明するように、バイアル瓶２０の拡径部４７に、第２接続部６の突出部４６が係合することになる。
【００８７】
図１３は、第２接続部６とバイアル瓶２０とを接続した状態を示す断面図である。第２接続部６の内周面と、バイアル瓶２０のキャップ２４の外周面とが嵌合している。図３、４に示したように、第２接続部６の側壁部にはスリット４８を形成しており、第２接続部６とバイアル瓶２０との嵌合を容易にしている。
【００８８】
図１３では、バイアル瓶２０のゴム栓２３に、コネクタ本体２と一体の針状部２２が刺通している。バイアル瓶２０の拡径部４７には、第２接続部６の突出部４６が係合しており、第２接続部６のバイアル瓶２０からの外れを防止している。
【００８９】
また、第２接続部６は、第１接続部３とは異なり、レバー式ロック１２のような接続の解除を容易にする機構は備えていない。このため、第２接続部６とバイアル瓶２０との嵌合を強固にしておけば、第２接続部６はバイアル瓶２０から容易には外れないようにすることができる。このことにより、バイアル瓶２０の安易な取り外しによる薬液の漏洩を防止することができる。
【００９０】
また、第１接続部３を薬液バッグ１０から取り外した後は、図１０に示したように、シールド２６が立設管状部２５を覆っている。したがって、第１接続部３を薬液バッグから取り外した後においても、立設管状部２５からの薬液の漏洩は防止されることになる。
【００９１】
このため、第１接続部３を薬液バッグ１０から取り外し、第２接続部６とバイアル瓶２０との接続状態を維持した状態でバイアル瓶２０を廃棄するようにすれば、バイアル瓶２０内の薬剤の漏洩は防止されることになる。
【００９２】
前記のような薬剤の漏洩防止構造は、バイアル瓶２０内の薬剤が抗がん剤のような毒性の強い薬剤の場合には、特に有効になる。
【００９３】
なお、本実施の形態における第２接続部６は一例であり、各種接続方式を用いることができる。また、第２接続部６は、コネクタ本体２と一体に形成しているが、第２接続部６がコネクタ本体２から容易に外れない構造であれば、第２接続部６をコネクタ本体２と別部品で構成してもよい。
【００９４】
（実施の形態２）
以下、図面を参照しながら、本発明の実施の形態２に係るコネクタについて説明する。実施の形態１と同一構成の部分は、同一符号を付して詳細な説明は省略する。
【００９５】
図１４は、本発明の実施の形態２に係るコネクタ１００の使用例を示した図である。本図での例では、コネクタ１００を介して薬液バッグ１０とバイアル瓶２０とを接続している。
【００９６】
図１５は、図１４を矢印Ａ方向から見た図である。コネクタ１００には、シリンジ３０が取り付けられている。実施の形態１と同様に、ピストン３１を矢印ａ方向に押すことにより、シリンダ３２内の液体をシリンダ３２の先端から送出させることができる。他方、ピストン３１を矢印ｂ方向に引くことにより、シリンダ３２内に液体を吸引することができる。
【００９７】
図１６は、コネクタ１００の分解斜視図である。図１６に示したように、コネクタ１００は、コネクタ本体１０１と、第１接続部３と、コック７０とに分解することができる。コネクタ本体１０１は、第２接続部６と一体になっている。
【００９８】
なお、以下の説明において、図１６の符号１０１で示した部分をコネクタ本体１０１と呼ぶことにするが、これは便宜上のものであり、コネクタ本体１０１に第１接続部３を接続したものをコネクタ本体１０１としてもよい。
【００９９】
第１接続部３は、コネクタ１００を薬液バッグ１０（図１４）に接続させるためのコネクタである。第１接続部３は、実施の形態１の第１接続部３と形状の異なる部分もあるが、基本的な構成は同様である。第１接続部３と薬液バッグ１０との接続は、実施の形態１において図１０、１１を用いて説明した通りである。
【０１００】
コネクタ本体１０１は、縦管状部５１に横管状部５２が交差している。横管状部５２にはシリンジ３０（図１５）と螺合させるためにねじ５３を形成している。横管状部５２には、円柱状のコック７０が挿入される。レバー７１を回転させると、コック７０は横管状部５２の軸回りに回転することになる。
【０１０１】
コネクタ１００は、図１５のような接続状態において、シリンジ３０を介して、薬液バッグ１０とバイアル瓶２０との間で液体を流通させるものである。コック７０（図１６）を回転させることにより、薬液バッグ１０とシリンジ３０との間で液体を流通させる流路の設定と、バイアル瓶２０とシリンジ３０との間で液体を流通させる流路の設定とを切換えることができる。この切換えの詳細は、後に図１９−２２を参照しながら説明する。
【０１０２】
前記の通り、図１６において、コネクタ本体１０１は、第２接続部６が一体になっている。第２接続部６は、コネクタ本体１０１をバイアル瓶２０に接続させるためのものである。第２接続部６は、実施の形態１の第２接続部６と形状の異なる部分もあるが、基本的な構成は同様である。第２接続部６とバイアル瓶２０との接続の際には、第２接続部６の接続口４９（図１７）内に、バイアル瓶２０のキャップ部を嵌合させることになる。この接続の詳細は、実施の形態１において図１２、１３を用いて説明した通りである。
【０１０３】
図１７は、コネクタ１００を、図１６とは別の角度から見た分解斜視図である。図１７では、第１接続部３及びコネクタ本体１０１の裏面側を図示している。第１接続部３の裏面側には、接続用管状部５４を形成している。この接続用管状部５４の外周面を、コネクタ本体１０１の縦管状部５１の内周面（図１６）に嵌合させることにより、第１接続部３をコネクタ本体１０１に接続することができる。
【０１０４】
コネクタ本体１０１の裏面側には、針状部８０を形成している。針状部８０の先端は鋭利になっており、針状部８０は、バイアル瓶２０のゴム栓２３（図１８）に刺通することができる。
【０１０５】
図１６、１７に示したように、コック７０には第１の流路７２及び第２の流路７３が形成されている。第１の流路７２及び第２の流路７３は、図１９−２２の断面図にも示されている。第１の流路７２は、コック７０の側面に凹部を形成したものであり、この凹部はコック７０の先端面にまでおよんでいる。このことにより、コック７０の先端面には切り欠きが形成されている。
【０１０６】
第２の流路７３は、図１６、図１７及び図１９に示したように、両端がコック７０の軸方向及び周方向の双方において異なる位置にある。本実施の形態の例は、凹部を螺旋状に形成したものである。
【０１０７】
図１８は、コネクタ１００の断面図を示している。本図は、図１５におけるコネクタ１００及びその周辺部分の縦方向の断面図に相当する。薬液バッグ１０に取り付けられた接続口４０の先端部に取り付けられたポート部４１に、第１接続部３を接続している。この接続の詳細は、実施の形態１で図１０、１１を用いて説明した通りである。
【０１０８】
第１接続部３の接続用管状部５４の外周面は、コネクタ本体１０１の縦管状部５１の内周面に嵌合している。このことにより、コネクタ本体１０１に第１接続部３が接続されている。
【０１０９】
コネクタ本体１０１の横管状部５２内に、コック７０が挿入されている。横管状部５２の一端はコック７０で封止され、横管状部５２の他端に開放部５７（図１６、１７）を形成している。
【０１１０】
コネクタ本体１０１には、第１の孔５８及び第２の孔５９を形成している。これらの２つの孔はいずれも、横管状部５２の内部空間５２ａと、コネクタ本体１０１の外部空間とをつなぐ孔である。第１の孔５８は、横管状部５２の側壁部を貫通しており、第２の孔５９は、基部６３及び針状部８０を貫通している。
【０１１１】
コネクタ本体１０１には、さらに第３の孔６０及び第４の孔６１を形成している。これらの２つの孔についても、第１の孔５８及び第２の孔５９と同様に、横管状部５２の内部空間５２ａとコネクタ本体１０１の外部空間とをつなぐ孔である。第３の孔６０は、横管状部５２の側壁部を貫通しており、第４の孔６１は、基部６３及び針状部８０を貫通している。
【０１１２】
第３の孔６０内には逆止弁６４を備えている。逆止弁６４は、ボール６５と傾斜面６６及びキャップ６７に形成した傾斜面６８とで構成されている。図１８の状態では、ボール６５は自重により、傾斜面６６に当接している。このことにより、図２０のように、第２の流路７３を介して第３の孔６０と第４の孔６１とをつなぐ設定であっても、第３の孔６０及び第４の孔６１を通過する液体の流通は止まり、薬液バッグ１０側からバイアル瓶２０側に向かう溶解液の流れは止まることになる。
【０１１３】
一方、図２０の状態からコネクタの上下を逆にすると、図２１に示したように、ボール６５は自重により、キャップ６７の傾斜面６８に当接することになる。この場合は、第３の孔６０を通過する液体の流通は止まり、バイアル瓶２０側から薬液バッグ１０側に向かう薬液の流れは止まることになる。
【０１１４】
したがって、逆止弁６４を備えたことにより、第２の流路７３を介して第３の孔６０と第４の孔６１とをつなぐ設定であっても、第３の孔６０及び第４の孔６１の双方を通過する液体の流通は止められることになる。このことにより、誤ってシリンジ３０を操作した場合に、シリンジ３０を経ることなく、液体が薬液バッグ１０又はバイアル瓶２０に直接入ることが防止されることになる。この詳細については、後に図２０、２１を参照しながら説明する。
【０１１５】
図１８では、図示に表れていないが、コック７０にはレバー７１（図１６、１７）が形成されている。レバー７１を回転させると横管状部５２の軸回りに回転する。この回転と一体に、コック７０に形成された第１の流路７２及び第２の流路７３（図１６、１７）も回転する。
【０１１６】
図１８の状態では、第１〜第４の孔５８〜６１は、横管状部５２側の先端部が、コック７０の側面で塞がれている。このため、第１〜第４の孔５８〜６１を介した横管状部５２の内部空間５２ａとコネクタ本体１０１の外部空間との間の流体の流通は閉ざされていることになる。
【０１１７】
レバー７１（図１６、１７）を回転させることにより、コック７０の第１の流路７２（図１６、１７）を介して、横管状部５２の内部空間５２ａと第１の孔５８とをつなぐ設定と、第１の流路７２を介して、横管状部５２の内部空間５２ａと第２の孔５９とをつなぎ、かつ第２の流路７３（図１６、１７）を介して第３の孔６０と第４の孔６１とをつなぐ設定とを切換えることができる。この設定の切換えを用いて、薬液バッグ１０内の溶解液を、バイアル瓶２０内に移し、バイアル瓶２０内の粉末状の薬剤を溶解液で溶解させて薬液を生成した後、この薬液を薬液バッグ１０へ注入することができる。
【０１１８】
以下、図１９−２２を参照しながら、薬液バッグ１０に、バイアル瓶２０内の薬剤を注入する際の操作手順を説明する。以下の各図において、図示を見易くするために、図１８における接続口４０、ポート部４１、シリンジ３０及びバイアル瓶２０は二点鎖線で簡略化して図示している。
【０１１９】
図１９は、薬液バッグ１０内の溶解液を、接続口４０からシリンジ３０へ吸引する状態を示す断面図である。図１９では、コック７０は、コック７０の第１の流路７２を介して、第１の孔５８と横管状部５２の内部空間５２ａとをつなぐ設定になっている。したがって、薬液バッグ１０内の溶解液は、接続口４０、立設管状部５５の内部空間５６、第１の孔５８、第１の流路７２を経て、横管状部５２の内部空間５２ａに流動可能になる。
【０１２０】
図１９に示したコック７０の設定において、シリンジ３０のピストン３１（図１５）を矢印ｂ方向に引くことにより、薬液バッグ１０内の溶解液を横管状部５２の内部空間５２ａにまで吸引し、さらにシリンジ３０内にまで吸引することができる（矢印ｄ方向）。
【０１２１】
この場合、ピストン３１の引く量に追随して、溶解液がシリンジ３０内に吸引されることになる。このため、ピストン３１の引く量をシリンダ３２に表示した目盛りを参照しながら調節することにより、シリンジ３０内への溶解液の吸引量を調節することができる。すなわち、必要な量の溶解液を正確にシリンジ３０内に吸引することができる。
【０１２２】
一方、図１９の状態では、第２の孔５９、第３の孔６０及び第４の孔６１は、横管状部５２側の先端部が、コック７０の側面で塞がれている。このことにより、薬液バッグ１０内の溶解液がバイアル瓶２０内に直接流入しないようになっている。
【０１２３】
図２０は、シリンジ３０内に吸引した溶解液を、バイアル瓶２０内に注入する状態を示す断面図である。図２０は図１９に比べ、コック７０の設定が異なっている。図２０では、図１９の状態からレバー７１を回転させることにより、コック７０を回転させている。コック７０の回転により、コック７０と一体の第１の流路７２も回転移動する。図１９では、第１の流路７２が上側にあるのに対し、図２０では第１の流路７２は下側にある。すなわち、図２０では、コック７０は、第１の流路７２を介して、横管状部５２の内部空間５２ａと第２の孔５９とをつなぐ設定になっている。
【０１２４】
また、コック７０の回転により、コック７０と一体の第２の流路７３も回転移動する。図１９では、第２の流路７３の両端はいずれも、横管状部５２の内周面で塞がれているのに対し、図２０では第２の流路７３の両端はそれぞれ、第３の孔６０、第４の孔６１につながっている。
【０１２５】
図２０の状態において、シリンジ３０のピストン３１（図１５）を矢印ａ方向に押すと、シリンジ３０内の溶解液は、横管状部５２の内部空間５２ａに押し出されることになる。内部空間５２ａに至った溶解液は、矢印ｅ方向に流動し、第１の流路７２、第２の孔５９を経て、バイアル瓶２０内に注入されることになる。
【０１２６】
この場合、ピストン３１の押す量に追随して、溶解液がシリンジ３０から流出することになる。このため、ピストン３１の押す量をシリンダ３２に表示した目盛りを参照しながら調節することにより、シリンジ３０からの溶解液の流出量を調節することができる。すなわち、必要な量の溶解液を正確にバイアル瓶２０内に注入することができる。
【０１２７】
バイアル瓶２０内への溶解液の注入の際、バイアル瓶２０内の空気は、第４の孔６１を上昇し、第２の流路７３、第３の孔６０、立設管状部５５の内部空間５６を経て、薬液バッグ１０内に流入する。第３の孔６０へ流入した空気は、ボール６５を押し上げるので、第３の孔６０から立設管状部５５側に向けて空気が流れることが可能になる。
【０１２８】
ここで、図２０の状態において、シリンジ３０のピストン３１（図１５）を、矢印ａ方向に押すのではなく、矢印ｂ方向に引いた場合、第２の孔５９を経てバイアル瓶２０内の空気はシリンジ３０内に引き込まれることになる。このことは、薬液バッグ１０内の溶解液を、バイアル瓶２０側に引き込むように、すなわち第３の孔６０側に引き込むように流動させることになる。
【０１２９】
一方、図２０の状態では、ボール６５は傾斜面６６に当接しており、ボール６５の下方への動きは規制されている。このため、第３の孔６０へ溶解液が流入しても、第３の孔６０で溶解液の流れは止まり、溶解液が第２の流路７３を経てバイアル瓶２０内に入ることは防止されることになる。
【０１３０】
すなわち、第３の孔６０に逆止弁６４を設けていることにより、誤ってシリンジ３０を操作した場合であっても、シリンジ３０を経ることなく、溶解液がバイアル瓶２０内に直接入ることは防止されることになる。
【０１３１】
図２１は、バイアル瓶２０内で粉末状の薬剤を溶解して生成した薬液を、シリンジ３０内に吸引する状態を示す断面図である。図２１では、薬液バッグ１０の接続口４０とバイアル瓶２０との上下関係が、図１９、２０と逆になっている。すなわち、図１９、２０では、バイアル瓶２０が下側にあるのに対して、図２１では、バイアル瓶２０は上側にある。この配置により、バイアル瓶２０内の薬液は、第２の孔５９、第１の流路７２を経て、横管状部５２の内部空間５２ａに流動可能になる。
【０１３２】
図２１に示したコック７０の設定において、シリンジ３０のピストン３１（図１５）を矢印ｂ方向に引くことにより、バイアル瓶２０内の薬液を横管状部５２の内部空間５２ａにまで吸引し、さらにシリンジ３０内にまで吸引することができる（矢印ｄ方向）。
【０１３３】
この場合、ピストン３１の引く量に追随して、薬液がシリンジ３０内に吸引されることになる。このため、ピストン３１の引く量をシリンダ３２に表示した目盛りを参照しながら調節することにより、シリンジ３０内への薬液の吸引量を調節することができる。すなわち、必要な量の薬液を正確にシリンジ３０内に吸引することができる。
【０１３４】
バイアル瓶２０内の薬液をシリンジ３０内に吸引する際、薬液バッグ１０内の空気は、第３の孔６０を上昇し、第２の流路７３、第４の孔６１を経て、バイアル瓶２０内に流入する。第３の孔６０へ流入した空気は、ボール６５を押し上げるので、第３の孔６０から第２の流路７３側に向けて空気が流れることが可能になる。
【０１３５】
ここで、図２１の状態において、シリンジ３０のピストン３１（図１５）を、矢印ｂ方向に引くのではなく、矢印ａ方向に押した場合、第２の孔５９を経てバイアル瓶２０内に空気又は薬液が逆流することになる。このことは、バイアル瓶２０内の薬液を、第４の孔６１及び第２の流路７３を経て、第３の孔６０側に押し出すように流動させることになる。
【０１３６】
一方、図２１の状態では、ボール６５は傾斜面６８に当接しており、ボール６５の下方への動きは規制されている。このため、第３の孔６０へ薬液が流入しても、第３の孔６０で薬液の流れは止まり、薬液が第２の流路７３を経て薬液バッグ１０内に入ることは防止されることになる。
【０１３７】
すなわち、第３の孔６０に逆止弁６４を設けていることにより、誤ってシリンジ３０を操作した場合であっても、シリンジ３０を経ることなく、薬液が薬液バッグ１０内に直接入ることが防止されることになる。
【０１３８】
図２２は、シリンジ３０内に吸引した薬液を、薬液バッグ１０内に注入する状態を示す断面図である。図２２では、薬液バッグ１０とバイアル瓶２０との上下関係は図２１の状態と同じであり、バイアル瓶２０が上側にある状態を維持している。図２２は図２１に比べ、コック７０の設定が異なっている。図２２では、図２１の状態からレバー７１を回転させることにより、コック７０を回転させている。図２１では、第１の流路７２が上側にあるのに対し、図２２では第１の流路７２は下側にある。すなわち、図２２では、コック７０は、第１の流路７２と第１の孔５８とをつなぐ設定になっている。
【０１３９】
図２２の状態において、シリンジ３０のピストン３１（図１５）を矢印ａ方向に押すと、シリンジ３０内の薬液は、横管状部５２の内部空間５２ａに押し出されることになる。内部空間５２ａに至った溶解液は、矢印ｅ方向に流動し、第１の流路７２、第１の孔５８、立設管状部５５の内部空間５６に至ることになる。内部空間５６に至った薬剤は、矢印ｇで示したように、接続口４０に至り、薬液バッグ１０内に注入されることになる。
【０１４０】
この場合、ピストン３１の押す量に追随して、薬液が薬液バッグ１０内に注入されることになる。このため、ピストン３１の押す量をシリンダ３２に表示した目盛りを参照しながら調節することにより、薬液バッグ１０内への薬液の注入量を調節することができる。すなわち、必要な量の薬液を正確に薬液バッグ１０内に注入することができる。
【０１４１】
前記のような工程を経て、必要な量の薬液を薬液バッグ１０内に注入することが可能になる。薬液バッグ１０内の薬液は、ポート部６０（図１４）に刺通した針付きチューブのチューブを介して体内に投与されることになる。
【０１４２】
本実施の形態においては、シリンジ３０（図１５）とコネクタ本体１０１とを別部品とした例で説明したが、シリンジ３０のシリンダ部３２とコネクタ本体１０１とを一体にした構成でもよい。このことは実施の形態１と同様である。
【０１４３】
また、本実施の形態においては、図１６に示したように、コック７０にはコック７０から延出させたレバー７１を形成している。このレバー７１の向きによって、コネクタ１００内部の流路の設定状態を知ることができる。
【０１４４】
具体的には、図１９においては、バイアル瓶２０側の第２の孔５９及び第４の孔６１における横管状部５２側の端部は、コック７０の側面で塞がれており、バイアル瓶２０内には液体は流れない。一方、レバー７１の先端７１ａは、バイアル瓶２０側に向いている。すなわち、レバー７１の先端７１ａは、液体の流れが止まっている側を指していることになる。したがって、レバー７１の先端７１ａの向きを見ることにより、コネクタ１００は、バイアル瓶２０側への液体の流通を止める設定になっていると判断できることになる。
【０１４５】
図２０においては、薬液バッグ１０側の第１の孔５８における横管状部５２側の端部は、コック７０の側面で塞がれており、シリンジ３０内の液体は薬液バッグ１０側には流れない。一方、レバー７１の先端７１ａは、薬液バッグ１０の接続口４０側に向いている。すなわち、レバー７１の先端７１ａは、液体の流れが止まっている側を指していることになる。したがって、レバー７１の先端７１ａの向きを見ることにより、コネクタ１００は、薬液バッグ１０側への液体の流通を止める設定になっていると判断できることになる。
【０１４６】
したがって、レバー７１の先端７１ａの向きを見ることにより、コネクタ１００は、薬液バッグ１０及びバイアル瓶２０のいずれの側と液体の流通を止めているのかを容易に判断できることになる。
【０１４７】
また、レバー７１の先端７１ａの向きを、図１９の例とは逆にしてもよい。この場合は、図１９ではレバー７１の先端７１ａは薬液バッグ１０の接続口４０側に向くことになり、図２０ではレバー７１の先端７１ａはバイアル瓶２０側に向くことになる。すなわち、レバー７１の先端７１ａは、液体の流通が可能な側を指していることになる。したがって、この場合は、レバー７１の先端７１ａの向きを見ることにより、薬液バッグ１０及びバイアル瓶２０のいずれの側に、コネクタ１００が流通可能な状態になっているのかを容易に判断できることになる。
【０１４８】
また、実施の形態１と２とで、コックに形成した第１の流路及び第２の流路をそれぞれ２種類挙げたが、実施の形態１における第１の流路及び第２の流路のいずれかを、実施の形態２の流路に置き換えてもよい。また、実施の形態２における第１の流路及び第２の流路のいずれかを、実施の形態１の流路に置き換えてもよい。例えば、実施の形態１では、第１の流路３３はＬ字形流路であるが、このＬ字形流路を、実施の形態２の第１の流路７２のような溝状の流路に置き換えてもよい。
【０１４９】
また、本実施の形態では、逆止弁６４は、ボール６５と傾斜面６６及び傾斜面６８とで構成した例で説明したが、他の構造であってもよい。また、逆止弁６４は、第３の孔６０に設けた例で説明したが、逆止弁は、第３の孔６０及び第４の孔６１の少なくともいずれかに設けていればよい。例えば、第４の孔６１の径を大きくし、より小型の逆止弁を用いれば、第４の孔６１に逆止弁を設けることができる。
【産業上の利用可能性】
【０１５０】
以上のように、本発明に係るコネクタは、薬液バッグへ薬液を必要な量だけ正確に注入することができるので、特に、バイアル瓶内の医薬品を薬液バッグへ注入する際に、薬液バッグとバイアル瓶との間に介在させる医療用のコネクタとして有用である。
【符号の説明】
【０１５１】
１，１００  コネクタ
２，１０１  コネクタ本体
３  第１接続部
４，５７  開放部
５，７０  コック
６  第２接続部
８，７１  レバー
８ａ，７１ａ  レバーの先端
１１，４９  接続口
１２  レバー式ロック
１６，５２  横管状部（管状部）
２５，５５  立設管状部
２６  シールド
３０  シリンジ
３１  ピストン
３２  シリンダ
３３，７２  第１の流路
３４，３５  開口
３６，７３  第２の流路
３７，５８  第１の孔
３８，６０  第３の孔
３９  疎水性フィルタ
４３，５９  第２の孔
４４，６１  第４の孔
４６  突出部
６４  逆止弁
【図１】
0005557040.tif 000002
【図２】
0005557040.tif 000003
【図３】
0005557040.tif 000004
【図４】
0005557040.tif 000005
【図５】
0005557040.tif 000006
【図６】
0005557040.tif 000007
【図７】
0005557040.tif 000008
【図８】
0005557040.tif 000009
【図９】
0005557040.tif 000010
【図１０】
0005557040.tif 000011
【図１１】
0005557040.tif 000012
【図１２】
0005557040.tif 000013
【図１３】
0005557040.tif 000014
【図１４】
0005557040.tif 000015
【図１５】
0005557040.tif 000016
【図１６】
0005557040.tif 000017
【図１７】
0005557040.tif 000018
【図１８】
0005557040.tif 000019
【図１９】
0005557040.tif 000020
【図２０】
0005557040.tif 000021
【図２１】
0005557040.tif 000022
【図２２】
0005557040.tif 000023